(57)【特許請求の範囲】
【請求項１】
有効成分として下式
【化１】
0004304390.tif 000014
（式中、Ｒ及びＲ’は、ヤシ油脂肪酸から誘導される炭素数８〜１８のアルキル基を示し、Ｘはハロゲン原子を示す。）で示されるジ椰子油アルキルジメチルアンモニウム塩を０.２〜５重量％、及びイソパラフィン系炭化水素を７５〜９９．８重量％含むことを特徴とする掃除用液剤。
【請求項２】
上記イソパラフィン系炭化水素が、８０℃における蒸気圧が１０〜２００ｍｍＨｇであるものである請求項１記載の掃除用液剤。
【請求項３】
イソパラフィン系炭化水素が、式
【化２】
0004304390.tif 000015
（式中、ｎは２〜４の整数を示す。）で示されるものである、請求項１又は２記載の掃除用液剤。
【請求項４】
さらにアルコール又はノニオン系界面活性剤のいずれか少なくとも１種を含む請求項１乃至３のいずれかに記載の掃除用液剤。
【請求項５】
式（１）で示されるジ椰子油アルキルジメチルアンモニウム塩を０．２〜５重量％、イソパラフィン系炭化水素を７５〜９８．８重量％、及びアルコール０．５〜１０重量％又はノニオン系界面活性剤０．５〜１０重量％のいずれか少なくとも１種を含有することを特徴とする請求項４記載の掃除用液剤。
【発明の詳細な説明】
【０００１】
【発明の属する技術分野】
本発明は掃除用液剤に関する。より詳細には、本発明はティッシュペーパー、トイレットペーパー及びペーパータオルなどといった、身近にある紙や布等に含浸させて使用するタイプの掃除用液剤であって、家具、照明器具、家電製品、ＯＡ機器、ガラス、鏡等に付着した皮脂や手垢及びほこりを簡便かつ良好に除去できるとともに、拭き取り後はその表面に帯電防止能を付与して、塵埃の再付着を防止することのできる掃除用液剤に関する。本発明の掃除用液剤は、金属に対しても腐食性がないため２度拭きの手間が要らず、また家具やＯＡ機器等に拭きムラや拭きとり跡、ベタつき感等を生じず、優れた仕上がり性を発揮するものである。
【０００２】
【従来の技術】
最近の家屋では、壁紙、家具等の化粧合板、家電製品等の多くの素材に塩化ビニル、ポリエステル、メラミン、スチレン等の合成樹脂が用いられている。かかる合成樹脂は親油性であるため、手足からの皮脂や油性の汚れと馴染みやすく、また導電性が低いため静電気が発生して、室内の浮遊塵埃を吸着しやすい。このため時間の経過とともに次第と表面に汚れや埃が付着しやすい。また、テレビ画面やＯＡ機器ディスプレイ画面等は、静電気のため埃が付きやすく、しかも透明であるため手垢や埃等の汚れが目立ちやすい。
【０００３】
従来、屋内の床、壁、建具、家具、家電製品などに付着した手垢、塵埃または油汚れ等を簡便に除去する方法として、洗浄液を紙や布帛（織物、編み物、不織布等）の基材に含浸させたいわゆる化学雑巾でふき取る方法がよく用いられている（特開平２−１６１９２５号、米国特許第４４４８７０４号公報等参照）。また用いられる洗浄液としては、界面活性剤、流動パラフィン、植物油または脂肪酸エステル類等からなる組成物（特開昭４９−６６７０６号公報）や、水、エタノール、界面活性剤、グリコールまたはグリコールエーテル、除菌剤等からなる組成物等を挙げることができる。
【０００４】
しかしながら、かかる化学雑巾は、ディスポーザブル的に使用されるため、洗浄して再利用する手間が要らない点では便利であるが日常生活の掃除に毎日使用するにはコストが高くつき不経済である。また、これらの化学雑巾を用いた場合、ふき取った被洗浄表面に拭きムラや拭き跡が残って虹のようにギラついたり、洗浄液が残って表面がべたつくという問題があり、２度拭きや空拭きが必要となる場合がある。また、プラスチック製のものやＴＶ画面、ＯＡ機器のディスプレー画面などを掃除対象物とした場合は、特に拭き掃除した後、暫くすると再び空気中の埃等が静電気により表面に付着して、頻繁に掃除をしなくてはならないという問題がある。
【０００５】
一方、帯電防止能を付与するためにカチオン系界面活性剤を含有する掃除用洗浄剤があるが、カチオン系界面活性剤にはそれに含まれるハロゲン原子に基づいて一般に金属腐食性があるため、使用後には水ふきんや空ふきんで２度拭きしなくてはならず、その適用範囲には自ずと制限がある。
【０００６】
【発明が解決しようとする課題】
本発明は、身近にあるティッシュペーパーやトイレットペーパー、ペーパータオル等に塗布若しくは噴霧して使用できる掃除用液剤であり、拭きムラや拭き跡及びベタツキ感を生じさせることなく掃除対象物の汚れや埃を落とし、また掃除表面に帯電防止能を付与して、塵や埃の再付着を防止することのできる掃除用液剤を提供することを目的とする。更に本発明は上記塵埃再付着性を防止する作用を有するとともに、金属に対して腐食等の影響の少ない掃除用液剤を提供することを目的とする。
【０００７】
【課題を解決するための手段】
本発明者らは、上記課題を解決すべく日夜鋭意研究を重ねたところ、特定の第四級アンモニウム塩系のカチオン界面活性剤をイソパラフィン系炭化水素と併用することによって、それ自身着塵性がよく埃や汚れが有意に除去できるとともに、掃除対象物に帯電防止能を付与して塵埃の再付着が防止できること、さらに金属に対しても腐食といった悪影響を与えないことを見いだした。
【０００８】
従来からカチオン系界面活性剤に帯電防止能があり帯電防止剤として有用であることは知られているが、その反面、分子内のハロゲン原子に起因して金属に腐食性をもたらすという問題が指摘されている。かかる技術常識のもとで、特定のカチオン系界面活性剤によれば、イソパラフィン系炭化水素と併用することによって、その帯電防止能を維持しながらも金属に対して腐食性や錆等の影響を与えないという上記知見は驚くべきことである。
【０００９】
更に、本発明者らは、イソパラフィン系炭化水素として特に特定の蒸気圧を有するものを用いて調製した液剤が、用時ティッシュペーパー等に塗布若しくは噴霧して用いるタイプの掃除用液剤として極めて有用であること；すなわち該液剤によれば、ティッシュペーパー等を適度に湿潤させて塵や埃を良好に吸着除去し、しかも清拭した後は対象物から速やかに蒸発して拭きムラやべとつき感を残さないことを見いだした。
【００１０】
本発明はかかる知見に基づいて完成されたものである。すなわち、本発明は下記に示される掃除用液剤である。
（１）有効成分として下式
【００１１】
【化３】
0004304390.tif 000002
【００１２】
（式中、Ｒ及びＲ’は、ヤシ油脂肪酸から誘導される炭素数８〜１８のアルキル基を示し、Ｘはハロゲン原子を示す。）
で示されるカチオン系界面活性剤、及びイソパラフィン系炭化水素を含むことを特徴とする掃除用液剤。
（２）上記イソパラフィン系炭化水素が、８０℃における蒸気圧が１０〜２００ｍｍＨｇであるものである（１）記載の掃除用液剤。
（３）イソパラフィン系炭化水素が、式
【００１３】
【化４】
0004304390.tif 000003
【００１４】
（式中、ｎは２〜４の整数を示す。）
で示されるものである、（１）又は（２）記載の掃除用液剤。
（４）カチオン系界面活性剤を０．２〜５重量％、及びイソパラフィン系炭化水素を９５〜９９．８重量％の割合で含有することを特徴とする（１）乃至（３）のいずれかに記載の掃除用液剤。
（５）さらにアルコール又はノニオン系界面活性剤のいずれか少なくとも１種を含む（１）乃至（４）のいずれかに記載の掃除用液剤。
（６）カチオン系界面活性剤を０．２〜５重量％、イソパラフィン系炭化水素を７５〜９８．８重量％、及びアルコールを０．５〜１０重量％若しくはノニオン系界面活性剤を０．５〜１０重量％のいずれか少なくとも一方を含有することを特徴とする（５）記載の掃除用液剤。
【００１５】
【発明の実施の形態】
本発明の掃除用液剤は、特定のカチオン系界面活性剤をイソパラフィン系炭化水素と組み合わせて含有することを特徴とするものである。
【００１６】
本発明で用いられるカチオン系界面活性剤としては、種々あるカチオン系界面活性剤の中でも、特に下式で表されるジアルキルジメチル第４級アンモニウム塩系の界面活性剤を挙げることができる。
【００１７】
【化５】
0004304390.tif 000004
【００１８】
（式中、Ｒ及びＲ’は炭素数８〜１８のアルキル基を示し、Ｘはハロゲン原子を示す。）
上記式中において、Ｒ及びＲ’は、ヤシ油脂肪酸から誘導される炭素数８〜１８の各種のアルキル基を示し、具体的には、オクチル基、デシル基、ドデシル基、テトラデシル基、ヘキサデシル基、オクタデシル基を挙げることができる。なお、Ｒ及びＲ’は、互いに異なるアルキル基であってもよい。
【００１９】
本発明で用いられるカチオン系界面活性剤は、上記いずれかのジアルキルジメチル第４級アンモニウム塩を１種単独で含有するものでもよいが、２種以上のジアルキルジメチル第４級アンモニウム塩を含有する混合物であってもよく、その組み合わせ並びに配合割合はヤシ油に含まれる各種脂肪酸並びにその配合割合に応じて定めることができる。
【００２０】
一般的にヤシ油の主成分であるラウリン酸グリセリドの組成は、カプリル酸（５〜９％）、カプリン酸（６〜１０％）、ラウリン酸（４４〜５２％）、ミリスチン酸（１３〜１９％）、パルミチン酸（８〜１１％）、ステアリン酸（１〜３％）、オレイン酸（４〜８％）及びリノール酸（２〜４％）である。従って、本発明で用いられるカチオン系界面活性剤の好ましい態様として、この脂肪酸の配合割合に従って各種のジアルキルジメチル第４級アンモニウム塩を含有する混合物を挙げることができる。本明細書において、このようなジアルキルジメチル第４級アンモニウム塩の混合物を、単にジ椰子油アルキルジメチルアンモニウム塩ともいう。
【００２１】
より好ましいジ椰子油アルキルジメチルアンモニウム塩として好ましくは、表１の組成のものを挙げることができる。
【００２２】
【表１】
0004304390.tif 000005
【００２３】
また本発明においてハロゲン原子とは、塩素原子、臭素原子、ヨウ素原子を意味するが、好ましくは塩素原子である。
【００２４】
かかるカチオン系界面活性剤は、当業者によれば常法に従って調製することもできるが、簡便には商業的に入手することができる。
【００２５】
本発明の掃除用液剤に配合するカチオン系界面活性剤の割合としては、特に制限されないが、通常０．２〜５重量％、好ましくは０．５〜２重量％（有効成分換算）の割合を例示することができる。配合量が５重量％を大きく越えると皮膚への刺激性が強くなる傾向があり、また０．２重量％を大きく下回ると持続性が充分な帯電防止効果が得られない傾向にあり、このため掃除用液剤としての実用性が低下する。
【００２６】
本発明の掃除用液剤には、上記カチオン系界面活性剤と組み合わせてイソパラフィン系炭化水素が配合される。
【００２７】
イソパラフィン系炭化水素としては一般に溶剤として使用されるものを広く挙げることができ、特に制限されるものではないが、具体的にはＣｎＨ２ｎ＋２（ｎは４〜１６の整数）で示されるものを挙げることができ、好適には炭素数（ｎ）が８〜１２の範囲にあるものである。これらは一種単独からなるものであっても、また２種以上の混合物であってもよい。
【００２８】
好ましくは下式
【００２９】
【化６】
0004304390.tif 000006
【００３０】
（式中、ｎは２〜４の整数を示す。）
で示されるものを主成分として含むものを例示することができる。かかるイソパラフィン系炭化水素は、ｎが２〜４の範囲にあるものであればよく、一種単独からなるものであっても、また２種以上の混合物であってもよい。
【００３１】
具体的には、上記炭化水素単位の３量体（ｎ＝３）及び４量体（ｎ＝４）のいずれか少なくとも一方を７０％以上、好ましくは８０％以上含むものを挙げることができ、例えば、３量体を７５〜９５重量％及び２量体を５〜２５重量％、好ましくは３量体を８５〜９０重量％及び２量体を１０〜１５重量％の割合で含むイソパラフィン系炭化水素；並びに３量体を５〜３０重量％及び４量体を７０〜９５重量％、好ましくは３量体を１５〜２０重量％及び４量体を８０〜８５重量％の割合で含むイソパラフィン系炭化水素を挙げることができる。
【００３２】
また好適なイソパラフィン系炭化水素としては、８０℃での蒸発圧が１〜５００ｍｍＨｇ、好ましくは１０〜２００ｍｍＨｇ、より好ましくは１０〜１００ｍｍＨｇ乃至は２０〜１００ｍｍＨｇであるものを例示することができる。蒸気圧がかかる範囲のイソパラフィン系炭化水素を用いることにより、ティッシュ等の基布に用時取り出して清拭掃除を行うのに適した掃除液を調製することができる。すなわち、一般に掃除用具（清拭用具）は、埃や塵等を吸着（付着）するために適度に湿潤していることが望ましい一方で、清拭された掃除対象物は拭き跡を残すことなく速やかに乾燥することが望まれる。本発明によれば、上記の蒸発圧を有するイソパラフィン系炭化水素を使用することにより、上記相反する効果を満たす、用時塗布タイプの掃除用液剤を調製することができる。すなわち、上記イソパラフィン系炭化水素及び前記の特定のカチオン系界面活性剤を含有する本発明の掃除用液剤によれば、適度な湿気を有して着塵性を保持しながらも、清拭表面に拭きムラやべとつき感を残さず拭き仕上がり感及び埃塵能力の優れた掃除用具を用時に調製することができる。よって同一のイソパラフィンであれば、全体に対するイソパラフィンの配合量が多いほど速やかに薬剤を乾燥させることができる。
【００３３】
本発明で用いられるイソパラフィン系炭化水素は、高度に精製されている必要はないが、掃除対象物に臭いを残さないためにも臭気が殆どないか少なく、また掃除対象物が変色や変質しないように化学的に不活性であることが好ましい。さらに皮膚や粘膜への刺激性がなく安全性の高いものであることが好ましい。また、本発明の掃除用液剤は家具等の塗装表面にも用いられることから、木材塗装膜に対して影響を与えないものであることが好ましい。かかるものとしては７０〜１００℃、好ましくは８０〜９０℃といった比較的高いアニリン点を有するイソパラフィン系炭化水素を挙げることができる（ＪＩＳ−Ｋ２２５６）。
【００３４】
イソパラフィン系炭化水素として、より簡便には商業的に入手できるものを使用することができる。
【００３５】
かかるイソパラフィン系炭化水素は、本発明の掃除用液剤に７５〜９９．８重量％、好ましくは９５〜９８．０重量％の範囲から選択される割合で配合して用いられる。配合量が７５重量％を大きく下回ると掃除液の乾燥に時間が長くかかる傾向にある。
【００３６】
本発明の掃除用液剤の成分には、上記成分に加えてアルコールを配合することができる。アルコールとしては、イソプロピルアルコールやエタノール等の低級アルコール、並びに３−メトキシ−３−メチル−１−ブタノール等の高級アルコールを挙げることができるが、中でも３−メトキシ−３−メチル−１−ブタノールが好適に用いられる。かかる高級アルコールの配合することにより、前述するカチオン系界面活性剤とイソパラフィン系炭化水素の相溶性を高めて液剤を可溶化し、塩の発生を抑制して液剤成分の安定性を向上させることができる。
【００３７】
上記アルコールを配合する場合、その配合割合は制限はされないが、掃除用液剤中に通常０．５〜１０重量％、好ましくは２〜７重量％の割合で配合することができる。配合割合が１０重量％を大きく越えると掃除対象物の素材によっては悪影響がある場合もあり、また０．５重量％を大きく下回ると液剤の安定性が低下する傾向がある。
【００３８】
また更に本発明の掃除用液剤には、カチオン系界面活性剤及びイソパラフィン系炭化水素及び／又はアルコールといった上記成分に加えて、ノニオン系界面活性剤を配合することもできる。かかるノニオン系界面活性剤の配合により帯電防止効果を損なうことなく、一層の防錆効果を付与することができる。
【００３９】
ノニオン系界面活性剤としては、特に制限されないが、帯電防止効果を有するものを好適に挙げることができる。具体的にはこれらのノニオン系界面活性剤にはジエタノールアミド（１：１型）、オレイン酸ジエタノールアミド（１：１型）等の脂肪酸アルカノールアミド；モノオキシエチレンドデシルアミンやポリオキシエチレンドデシルアミンなどの（ポリ）オキシエチレン脂肪酸アミドといった含窒素型のノニオン系界面活性剤を含めることができる。
【００４０】
上記ノニオン系界面活性剤を配合する場合、その配合量は制限されないが、掃除用液剤中に通常０．５〜１０重量％、好ましくは好ましくは２〜５重量％の割合で配合することができる。
【００４１】
本発明の掃除用液剤には、本発明の目的を阻害しない限り、当該商品分野で用いられる成分が配合されていてもよい。かかるものとしては、例えば殺菌剤、防腐剤、抗菌剤、防カビ剤、消臭剤、着香料、シリコン系撥水剤、洗浄剤等を例示することができる。
【００４２】
本発明の掃除用液剤は、一般に掃除用液剤に使用される容器に収容、充填して使用することができる。容器としては、特に制限されないが、その一例としては上部キャップ部分に孔が形成されており該部分から液状、霧状又は泡状にして液剤を供給するディスペンサー容器を挙げることができ、具体的にはトリガー付き容器、スクイズフォーマー容器、ポンプ式スプレー容器、ガン式スプレー容器、エアゾール容器、スクイズスプレー容器等を挙げることができる。好ましくは、経済性、環境適合性の観点及びティッシュペーパー表面に均一に吐出できることなどからポンプ式のスプレー容器、スクイズスプレー容器を挙げることができる。特に限定はされないが、好ましくは一回吐出あたり、０．１〜０．６ｍｌ、より好ましくは０．４〜０．６ｍｌの液剤が塗布若しくは吐出噴霧されるように調整された容器であることが望ましい。
【００４３】
本発明の掃除用液剤は、上記のごとく容器に収容されて、使用時に身近にあるティッシュペーパー、トイレットペーパー、キッチンタオル等の使い捨て紙または乾いた布帛に、１乃至は数回吹きかけ含浸させて、それを用いて掃除対象物を拭くことによって使用される。勿論、被掃除物に直接吹き付けて、ティッシュペーパー等で塗り拡げて拭き取ることも可能であるが、液剤を均一にムラなく、経済的に使用するためには、上記の方法で用いることが好ましい。また、上記の使用法によれば、噴霧によって掃除用液剤が機械内部に入ることもない。
【００４４】
本発明の掃除用液剤は、各種の金属に対する腐食性がないか若しくは少ないことを特徴とするものである。よって防錆効果並びに耐腐食性効果をより一層上げるためには、本発明の掃除用液剤は水を実質的に含まない非水性の液剤であることが好ましい。
【００４５】
本発明の掃除用液剤は、その適用範囲を特に限定されることなく、例えば家具類、照明器具、家電製品、ＯＡ機器、サッシ、鏡、洗面台、窓ガラスなどのプラスチック、金属、ガラスなどのあらゆる素材面に適用することができる。
【００４６】
【実施例】
以下、本発明を実施例によって更に詳細に説明するが、本発明は当該実施例によって何ら制限されるものではない。尚、以下記載する％は特に断らない限り、重量％を意味する。
実施例１〜１４
後記表２及び表３記載の処方からなる組成物を調製し、容量１００ｍｌのポンプ式スプレー容器（１回吐出量０．２ｍｌ）に収容し、本発明の掃除用液剤（容器入り）を調製した。なお、カチオン系界面活性剤としては塩化ジ椰子油アルキルジメチルアンモニウム、ノニオン系界面活性剤としてはオキシエチレンドデシルアミン、アルコールとしては３−メトキシ−３−メチル−１−ブタノール及びイソパラフィン系炭化水素としてＮＡＳ−３（日本油脂製）を用いた。
【００４７】
また、下記実験例１及び２の比較試験用として、表４記載載の処方からなる組成物を調製し、同様にポンプ式スプレー容器に収容し比較用の液剤（比較例１〜５）を調製した。
【００４８】
実験例１
上記本発明の掃除用液剤の効果を確認するために、上記本発明の掃除用液剤（実施例１〜１４）及び比較用（比較例１〜５）の液剤について以下の評価試験を行った。試験は、２０〜４９才主婦１２０名を対象としてこれらの掃除用液剤を使用してもらって（１）塵の除去効果、（２）手垢等の除去効果、（３）塵再付着防止効果（帯電防止効果）、（４）仕上がり感（（ａ）拭きムラ、（ｂ）ベタツキ感）、（５）皮膚への刺激性の有無、（６）乾燥速度、（７）液安定性の７項目について評価してもらうことにより実施した。これらの具体的な試験方法及び評価方法は以下の通りである。
【００４９】
（１）塵の除去効果
白色綿状パルプをフードミキサーにかけて細かくし、これを塵にみたてて黒色ＡＢＳ製のプレート（１０×１０ｃｍ２）の上に表面が均一に白色になる様に播いた。ティッシュペーパー（約４００ｃｍ２）２枚（１組セット）を４つ折りにして掃除用液剤を４回噴霧して含浸させ、それを用いて前記プレート上の綿状パルプを拭き取り、ほこり除去効果を評価した。殆ど問題なく塵が取れた場合を○、若干塵がとれにくかった場合を△、埃が除去できず残った場合を×として評価した。
【００５０】
（２）手垢等の除去効果
人工皮脂（パルミチン酸０．７％、オレイン酸１．２％、トリパルミチン１．８％、トリオレイン３．４％、トリリノレイン０．７％、スクアラン１．７％、コレステロール０．５％、クロロホルム９０％）を混合したものを、ガラス板に０．１ｇ塗りつけて汚垢板とした。ティッシュペーパー（約４００ｃｍ２）２枚（１組セット）を４つ折りにして掃除用液剤を４回噴霧して含浸させ、それを用いて前記汚垢板をこすり、その汚れ落ち具合を観察した。殆ど完全に汚れが除去された場合を○、少し汚れが残った場合を△、汚れが殆ど除去できず残った場合を×として評価した。
【００５１】
（３）塵再付着防止効果（帯電防止効果）
ティッシュペーパー２枚を４つ折りにして掃除用液剤を４回噴霧して含浸させ、それでＴＶ画面を拭き取り掃除した。１週間後に再度拭き取り掃除して、拭き取られた汚れの程度（ティッシュペーパーの汚れの程度）から塵再付着防止効果を評価した。ティッシュペーパーが全く汚れず優れた塵再付着防止効果が認められた場合を◎、ティッシュペーパーがあまり汚れず塵再付着防止効果が認められた場合を○、ティッシュペーパーは多少汚れたもののやや効果が認められた場合を△、ティッシュペーパーがかなり汚れ、効果が認められなかった場合を×として評価した。
【００５２】
（４）仕上がり感
ａ）拭きムラの有無
ティッシュペーパー２枚を４つ折りにして掃除用液剤を４回噴霧して含浸させ、それで予め７５％エタノールで掃拭しておいた鏡（１０×１０ｃｍ２）を満遍なく拭いた。５分後、その表面を観察して拭きムラ（拭く跡）の有無を確認した。拭きムラが殆どみられない場合を○、少し拭きムラが残った場合を△、拭きムラが明らかに認められる場合を×として評価した。
【００５３】
ｂ）ベタツキ感
ティッシュペーパー２枚を４つ折りにして掃除用液剤を４回噴霧して含浸させ、それでＡＢＳ製の試験板表面（１０×１０ｃｍ２）を満遍なく拭いた。５分後、その表面を手で触れてみて、表面のベタツキ感を評価した。表面がさらっと仕上がっている場合を◎、比較的さらっとしているもののややベタツキが感じられる場合を○、ベタツキが感じられる場合を△、非常にベタツキ感が残る場合を×として評価した。
【００５４】
（５）皮膚への刺激性
上記試験での使用を通して、液剤の刺激性を評価してもらった。皮膚への刺激が全くなかった場合を◎、皮膚への刺激性はあるものの気にならなかった場合を○、刺激性がやや気になった場合を△、気になった場合を×として評価した。
【００５５】
（６）乾燥速度
上記仕上がり感の試験を通して、液剤を用いて清拭した後の対象物の乾燥の早さを評価した。清拭後、乾燥するまでかかった時間が２分以内の場合を◎、５分以内の場合を○、８分以内の場合を△、８分以上かかった場合を×としてそれぞれ評価した。
【００５６】
（７）液安定性試験
下記の方法によって本発明の掃除用液剤の安定性を調べた。
▲１▼  各処理液を５０ｍｌ／ガラスビンで準備する
▲２▼  −２０℃〜４２℃の温度サイクル条件（１２時間単位）で２ヶ月保存する
▲３▼  ２ヶ月後、目視にて液の状態を見る。
【００５７】
２ヶ月後の液が無色透明である場合を◎、液が若干着色しているが透明である場合を○、液中に若干の沈殿があるが振れば元に戻る場合を△、及び沈殿があり振っても元に戻らない場合を×として、それぞれ評価した。
【００５８】
結果を表２〜表４に併せて示す。なお結果は主婦１２０名の評価結果を総合的に判断したものである。
【００５９】
【表２】
0004304390.tif 000007
【００６０】
【表３】
0004304390.tif 000008
【表４】
0004304390.tif 000009
【００６２】
実験例２  対金属影響試験
上記本発明の掃除用液剤（実施例１〜１４）並びに比較のために比較用の液剤（比較例１〜５）を用いて、本発明の掃除用液剤の各種金属に対する影響を調べた。具体的には、掃除用液剤の中（５０℃）に表５に示す素材からなる金属片を１週間浸漬して、変色、錆の発生、液層の変化等を観察した。なお、対照試験として、本発明の掃除用液時の代わりに水（対照例）を用いたものについて同様に試験を行った。
【００６３】
【表５】
0004304390.tif 000010
【００６４】
結果を上記表２〜４に示す。尚、各評価は金属片に対して全く影響が見られない場合を◎、やや液剤に白沈が見られるが殆ど影響が見られない場合を○、液層の変色や錆が少々見られる場合を△、明らかに錆が生じ液に白沈が見られる場合を×として評価した。上記の結果から、本発明の掃除用液剤は全般的に各種の金属に対して腐食性が少ないことがわかる。
実験例３  帯電防止能の客観的評価
上記実施例において塵再付着防止効果（帯電防止効果）があると評価された実施例５の掃除用液剤について、それで樹脂プレート表面を清拭した後のプレート表面固有抵抗値を測定することにより、該液剤の帯電防止効果を客観的に評価した。
（１）清拭直後の帯電防止効果
実施例５の掃除用液剤を容量１００ｍｌのトリガー式スプレー（１回吐出量０．２ｍｌ）に収容した。それを用いてティッシュペーパー２枚（４つ折り）に４回スプレーして液剤を含浸させ、１０×１０ｃｍ２のＡＢＳ樹脂製プレートを１０往復清拭した。５分間放置し乾燥後、帯電防止性の指標である、清拭プレート面の表面固有抵抗値を測定した。尚、比較実験として、（ｉ）ティッシュペーパーを用いて同様に乾拭きする、（ｉｉ）ティッシュペーパーに水を液剤と同量含ませて水拭きする、（ｉｉｉ）市販品の化学雑巾（ノニオン、アニオン系界面活性剤使用）を用いて清拭する、実験を行った。
【００６５】
なお、表面固有抵抗値の測定は、ＪＩＳ  Ｋ−６９１１（１９９５）（熱硬化性プラスチック一般試験法）に準じて、２３±２℃、５０±５ＲＨ％の条件で、超絶縁計（ヒューレッドパッカード製、測定電圧５００Ｖ、荷電１分間、加重５ｋｇ）を用いて測定した。
【００６６】
結果を表６に示す。結果は３回の実験の平均値を示す。
【００６７】
【表６】
0004304390.tif 000011
【００６８】
合成樹脂の表面固有抵抗値は約１０１２Ωを越えるのが普通で、通常ＡＢＳ樹脂、ポリスチレン、ポリエステル等では１０１６Ω以上であるのが一般的である。このためかかる樹脂の化粧板を有する家具類には埃が付きやすいといった問題がある。かかる問題は帯電防止剤等を用いることによって表面固有抵抗値を１０１２Ω以下に下げることによって解決することができる。また当業界では一般に、表面固有抵抗値を１０９Ω以下に下げることができれば、かなり良好な帯電防止剤であると評価されている。
【００６９】
上記の実験から、本発明の掃除用液剤で清拭することによれば合成樹脂プレート表面の固有抵抗値を１０９Ωレベル以下に低減でき、本発明の液剤は帯電防止性にかなり優れていることがわかる。
（２）清拭２４時間後の帯電防止効果
実施例５の掃除用液剤について、清拭２４時間後の帯電防止効果を評価した。具体的には、ティッシュペーパー２枚（４つ折り）に液剤を４回スプレーして含浸させ、１０×１０ｃｍ２のＡＢＳ樹脂製プレート及びポリスチレン製プレートのそれぞれを１０往復清拭した。得られたプレートを２３±２℃、５０±５ＲＨ％の恒温恒湿室に２４時間放置して、その後（１）と同様の条件で各プレート表面の固有抵抗値を測定した。結果を表７に示す。結果は３回の実験の平均値である。
【００７０】
【表７】
0004304390.tif 000012
【００７１】
このことから、本発明の掃除用液剤は、防埃塵持続性があることがわかる。
【００７２】
実施例５の掃除用液剤を３℃、４０℃、５０℃の温度条件、及び−２０℃〜４２℃の温度サイクル条件で２ヶ月間保存した。これを容器に収容し、（２）と同様にティッシュペーパーを用いて各プレートを清拭して２４時間後の表面固有抵抗値を測定した。結果を表８に示す。結果は３回の実験の平均値である。
【００７３】
【表８】
0004304390.tif 000013
【００７４】
本発明の掃除用液はいずれも目標値である１０１２Ωを達成し、本発明の液剤は保存においても安定して帯電防止能を維持することがわかった。
【００７５】
【本発明の効果】
本発明の液剤は、住宅内の家具や家電機器、ＯＡ機器等の埃や汚れの除去に有効である。気軽に身近にあるティッシュペーパー等を利用して拭き取り掃除ができるので、不経済感を軽減することができる。また掃除後も、掃除対象物がべたついたり、拭き跡等がむらになったりギラツいたりしないので、清潔感があり、２度拭きや空拭きの必要がなく手間がかからない。